(57)【要約】【課題】壁パネルの連結箇所の隙間に差し込む目地材で、連結箇所のパネル面の平面性が害されないようにする。【解決手段】壁パネル１の裏面の側部に角筒形のフレーム２を側部に沿って取り付け、このフレーム２の後面のダルマ孔３に連結用具４のビス５を差し入れてから連結用具４を下方にずらして隣り合う壁パネル１のフレーム２に連結用具４を跨らせて設ける。又壁パネル１の連結箇所の隙間Ｓに目地材６を差し込む。上記の連結用具４を、断面略コの字形の凹溝状に形成して隣り合うフレーム２に被覆状に設ける。上記ダルマ孔３の縦スリット状の切欠き３ｂの幅を、この切欠き３ｂに係合するビス５の首部５ａの軸径より大きく形成する。上記の目地材６を壁パネル１の連結箇所の隙間Ｓに差し込むとフレーム２を横方向にずらし、目地材６を介して連結用具４とフレーム２が密着する。【選択図】　　　図１
2004116209.tif 000002
【特許請求の範囲】
【請求項１】
壁パネルの裏面の側部に角筒形のフレームが側部に沿って取り付けられ、このフレームの後面のダルマ孔に連結用具のビスが差し入れられてから連結用具が下方にずらされて隣り合う壁パネルのフレームに連結用具が跨って設けられ、又壁パネルの連結箇所の隙間に目地材が差し込まれている壁パネルの連結構造であって、上記の連結用具が断面略コの字形の凹溝状に形成されて隣り合うフレームに被覆状に設けられ、上記のダルマ孔の縦スリット状の切欠きの幅がこの切欠きに係合するビスの首部の軸径より大きく形成され、上記の目地材が壁パネルの連結箇所の隙間に差し込まれるとフレームが横方向にずらされて目地材を介して連結用具とフレームが密着されていることを特徴とする壁パネルの連結構造。
【請求項２】
壁パネルの裏面の側部に角筒形のフレームが側部に沿って取り付けられ、このフレームの後面のダルマ孔に連結用具のビスが差し入れられてから連結用具が下方にずらされて隣り合う壁パネルのフレームに連結用具が跨って設けられ、又壁パネルの連結箇所の隙間に目地材が差し込まれている壁パネルの連結構造であって、上記の連結用具が断面略コの字形の凹溝状に形成されて隣り合うフレームに被覆状に設けられ、この連結用具の一方の側辺部に嵌合する凸段差部が一方のフレームの外側面に形成され、上記の目地材が壁パネルの連結箇所の隙間に差し込まれると一方のフレームが横方向にずらされて連結用具の一方の側辺部に凸段差部が嵌合され、目地材を介して連結用具がフレームに密着されていることを特徴とする壁パネルの連結構造。
【請求項３】
請求項１又は２記載の壁パネルの連結構造であって、目地材が、フレームの対向面間に配置される差込部の略中央部に、フレームの対向面間に圧入されて左右のフレームの間隔を一定に保持するための間隔保持部を備えて形成されていることを特徴とする壁パネルの連結構造。
【請求項４】
壁パネルの裏面の側部に角筒形のフレームが側部に沿って取り付けられ、このフレームの後面のダルマ孔に連結用具のビスが差し入れられてから連結用具が下方にずらされて隣り合う壁パネルのフレームに連結用具が跨って設けられ、又壁パネルの連結箇所の隙間に目地材が差し込まれている壁パネルの連結構造であって、上記のフレームの対向する側の外側面部が、壁パネルの前方に前端が向けられて自由片状に形成され、上記の目地材が二股状に形成され、この目地材の二股状の挟持部でフレームの重合されている外側面部が挟み付けられていることを特徴とする壁パネルの連結構造。
【請求項５】
請求項４記載の壁パネルの連結構造であって、目地材の二股状の挟持部が金属材で形成されていることを特徴とする壁パネルの連結構造。
【発明の詳細な説明】
【０００１】
【発明の属する技術分野】
本発明は、壁パネルの連結構造に関し、更に詳しくは例えば浴室やシャワールーム等の壁を構築するのに好適なよう形成した壁パネルの連結構造に関するものである。
【０００２】
【従来の技術】
従来この種の構造としては、例えば壁パネルの裏面の側部に角筒形のフレームを側部に沿って取り付け、このフレームの後面のダルマ孔に連結用具のビスを差し入れてから連結用具を下方にずらして隣り合う壁パネルのフレームに連結用具を跨らせ、これにより隣り合う壁パネル同士を連結するものが知られている（例えば特許文献１参照）。
又従来、壁パネルの連結箇所に、目地材を差し込んで隙間をシールすることも知られている（例えば特許文献２、特許文献３参照）。
【０００３】
【特許文献１】
特開平１１ー３４３６９８号公報（第２頁、図１６Ｂ）
【特許文献２】
特開２０００ー２７３９８９号公報
【特許文献３】
実開平４ー１１８１５号公報
【０００４】
【発明が解決しようとする課題】
ところでビス付きの連結用具を使用して壁パネルを連結する場合、従来は、連結用具のビスをフレームのダルマ孔に差し入れてから連結用具を引き摺り下ろすことで隣り合うフレームを引き寄せ、壁パネルを連結するものであった。
従って従来は、連結用具によってフレームが引き付けられ、フレームの接合部の後側に牽引力が加わった状態で連結されるものであった。そのため従来は、壁パネルの連結箇所に目地材を差し込むと、この目地材によって左右の壁パネルがフレームの接合部の後側を中心に後方に押し開かれ、パネル面の平面性（垂直面性）が損なわれる、という問題点があった。
【０００５】
本発明は、このような従来の問題点に鑑み、提案されたものである。
従って本発明の技術的課題は、壁パネルの連結箇所の隙間に差し込む目地材によって、連結箇所のパネル面の平面性を損なわせることがないよう形成した壁パネルの連結構造を提供することにある。
【０００６】
【課題を解決するための手段】
本発明は、上記の課題を解決するために、次のような技術的手段を採る。
【０００７】
即ち本発明は、図１等に示されるように、壁パネル１の裏面の側部に角筒形のフレーム２が側部に沿って取り付けられ、このフレーム２の後面のダルマ孔３に連結用具４のビス５が差し入れられてから連結用具４が下方にずらされて隣り合う壁パネル１のフレーム２に連結用具４が跨って設けられ、又壁パネル１の連結箇所の隙間Ｓに目地材６が差し込まれている壁パネル１の連結構造であって、上記の連結用具４が断面略コの字形の凹溝状に形成されて隣り合うフレーム２に被覆状に設けられ、上記のダルマ孔３の縦スリット状の切欠き３ｂの幅がこの切欠き３ｂに係合するビス５の首部５ａの軸径より大きく形成され、上記の目地材６が壁パネル１の連結箇所の隙間Ｓに差し込まれるとフレーム２が横方向にずらされて目地材６を介して連結用具４とフレーム２が密着されていることを特徴とする（請求項１）。
【０００８】
ここで、ダルマ孔３とは、径が拡大された大径の孔３ａとこれに連なる縦スリット状の切欠き３ｂとで形成される孔を意味し、外観がダルマ形の孔には限定されず、例えば図２、図３等に示されるように、大径の孔３ａの両側に縦スリット状の切欠き３ｂが形成されているものも含まれる。又ここで、ビス５とは頭部と首部５ａとを有する部材を意味し、軸径とは軸の太さを意味する。
【０００９】
又本発明の課題を達成する他の構成としては、図４、図５等に示されるものがある。即ちこの本発明は、壁パネル１の裏面の側部に角筒形のフレーム２が側部に沿って取り付けられ、このフレーム２の後面のダルマ孔３に連結用具４のビス５が差し入れられてから連結用具４が下方にずらされて隣り合う壁パネル１のフレーム２に連結用具４が跨って設けられ、又壁パネル１の連結箇所の隙間Ｓに目地材６が差し込まれている壁パネル１の連結構造であって、上記の連結用具４が断面略コの字形の凹溝状に形成されて隣り合うフレーム２に被覆状に設けられ、この連結用具４の一方の側辺部４Ａに嵌合する凸段差部２ａが一方のフレーム２の外側面に形成され、上記の目地材６が壁パネル１の連結箇所の隙間Ｓに差し込まれると一方のフレーム２が横方向にずらされて連結用具４の一方の側辺部４Ａに凸段差部２ａが嵌合され、目地材６を介して連結用具４がフレーム２に密着されていることを特徴とする（請求項２）。
【００１０】
本発明の場合、ダルマ孔３やビス５等の意味は、上例の場合と同様である。又凸段差部２ａは、一方のフレーム２の外側面に一方のフレーム２の全長にわたって連続状に形成されたり、或いは間欠状に形成されることで実現される。又この凸段差部２ａは、フレーム２を折り曲げて形成したり、別部材を外側面に固着することで実現される。
【００１１】
又本発明の場合、目地材６は、フレーム２の対向面間に配置される差込部６ａの略中央部に、フレーム２の対向面間に圧入されて左右のフレーム２の間隔を一定に保持するための間隔保持部６ｂを備えて形成されているのが好ましい（請求項３）。
【００１２】
なぜならこれによると、間隔保持部６ｂが差込部６ａの前後方向の全体に形成されている場合に比べ、差込時の摩擦を軽減でき、その分、目地材６の差し込み操作を容易化できるからである。又この場合は、差込部６ａの略中央部に間隔保持部６ｂが形成されているから、壁パネル１の間隔を安定的に保持できるからである。間隔保持部６ｂは、硬質状に形成され、例えば目地材６の長手方向の全長にわたって差込部６ａの幅が拡大されて形成されたり、或いは目地材６の長手方向にわたって間欠的に幅が拡大されることで実現される。
【００１３】
又本発明の課題を達成する他の構成としては、図１０等に示されるものがある。即ちこの本発明は、壁パネル１の裏面の側部に角筒形のフレーム２が側部に沿って取り付けられ、このフレーム２の後面のダルマ孔３に連結用具４のビス５が差し入れられてから連結用具４が下方にずらされて隣り合う壁パネル１のフレーム２に連結用具４が跨って設けられ、又壁パネル１の連結箇所の隙間Ｓに目地材６が差し込まれている壁パネル１の連結構造であって、上記のフレーム２の対向する側の外側面部２ｂが、壁パネル１の前方に前端２ｂ１が向けられて自由片状に形成され、上記の目地材６が二股状に形成され、この目地材６の二股状の挟持部６Ａでフレーム２の重合されている外側面部２ｂが挟み付けられていることを特徴とする（請求項４）。
【００１４】
ダルマ孔３、ビス５等の意味は、上例の場合と同様である。ここで、自由片状に形成され、とは、前端２ｂ１が開放された状態に外側面部２ｂが形成されている、ということを意味する。この本発明の場合、フレーム２の対向する側の外側面部２ｂは、例えばフレーム２が金属板の曲げ加工で形成される場合は、図１１或いは図１２に示されるように、外側面部２ｂが壁パネル１の前方に折り返されることで実現される。
【００１５】
又この本発明の場合、目地材６の二股状の挟持部６Ａは、金属材で形成されているのが好ましい（請求項５）。
【００１６】
なぜならこれによると、挟持部６Ａの剛性が高くなり、その分、フレーム２の外側面部２ｂを堅固に挟持でき、壁パネル１の開きを確実に防止できるからである。
【００１７】
【発明の実施の形態】
以下、本発明の好適な一実施形態を添付図面に従って説明する。
【００１８】
図１等において、１は壁パネルであり、２はこの壁パネル１の裏面の側部に、この側部に沿って取り付けられている角筒形のフレームである。このフレーム２は、金属材で形成され、その後面にダルマ孔３が形成されている。このダルマ孔３は、この実施形態では図２、図３に示されるように、大径の孔３ａと、その上下位置の縦スリット状の切欠き３ｂとで形成されている。切欠き３ｂには、連結用具４のビス５の首部５ａが係合され、この切欠き３ｂの幅はビス５の首部５ａの軸径より大きく形成されている。
【００１９】
連結用具４は、金属板が曲げられて断面略コの字形の凹溝状に形成されている。そしてこの連結用具４は、ダルマ孔３の大径の孔３ａにビス５が差し入れられてから引き摺り下ろされて切欠き３ｂにビス５の首部５ａが係合され、隣り合う壁パネル１のフレーム２に跨って被覆状に設けられている。
【００２０】
又６は、壁パネル１の連結箇所の隙間Ｓに差し込まれている目地材である。壁パネル１の側部に固定されるフレーム２は、この目地材６が壁パネル１の連結箇所の隙間Ｓに差し込まれると、ビス５の首部５ａと切欠き３ｂとの間に遊びがあるため横方向に離反するようずらされ、この目地材６を介して連結用具４の両側辺部４ａ、４ａに密着するものである。又目地材６は、フレーム２の対向面間に配置される差込部６ａの略中央部に、フレーム２の対向面間の距離を一定に保持するための間隔保持部６ｂを備えて形成されている。この間隔保持部６ｂは、硬質状に形成され、この実施形態では目地材６の全長にわたって差込部６ａの両側が同じ寸法分だけ突き出されて幅広状に形成されることにより構成されている。又目地材６は、差込部６ａの両側に左右一対のひれ部６ｃが複数対、目地材６の長手方向に延びて形成され、このひれ部６ｃで気密性や水密性等のシールド効果が高くなるよう形成されている。
【００２１】
次にこの本発明における壁パネル１の連結例を説明する。
【００２２】
作業者は、先ず壁パネル１を隣り合わせに並べ、図３に示されるように、ダルマ孔３に連結用具４のビス５を差し入れてから、連結用具４を引き摺り下ろす。次に図２に示されるように、壁パネル１の前側から連結箇所の隙間Ｓに目地材６を差し込む。目地材６が差し込まれると、ビス５の首部５ａと切欠き３ｂとの間に遊びがあるため、フレーム２が夫々横方向に離反するよう位置ずれし、目地材６が完全に差し込まれると、連結用具４の両側辺部４ａ、４ａとフレーム２の外側面が密着する。これにより壁パネル１が、固定されて連結される。
【００２３】
次に請求項２記載の本発明の好適な一実施形態を、図４〜図９に従って説明する。上例と同一部材、同一箇所には同一の符号を付し、詳しい説明は省略する。
【００２４】
この本発明は、壁パネル１の裏面の側部に角筒形のフレーム２が側部に沿って取り付けられている。このフレーム２は、金属材で形成され、その後面にダルマ孔３が形成され、このダルマ孔３に連結用具４のビス５が差し入れられてから連結用具４が下方にずらされて隣り合う壁パネル１のフレーム２に連結用具４が跨って被覆状に設けられている。ダルマ孔３の構成は、上例と同様である。
【００２５】
連結用具４は、金属板が曲げられて断面略コの字形の凹溝状に形成されている。又この連結用具４の一方の側辺部４Ａは、その前端部４Ａ１が内側に屈曲されて溝状に形成されている。又この連結用具４の一方の側辺部４Ａと嵌合する凸段差部２ａが、一方のフレーム２の外側面に、フレーム２の全長にわたって曲げ加工により形成されている。
【００２６】
６（図５参照）は、壁パネル１の連結箇所の隙間Ｓに差し込まれている目地材である。この目地材６は、フレーム２の対向面間に配置される差込部６ａの略中央部に、フレーム２の対向面間の距離を一定に保持するための間隔保持部６ｂを備えて形成されている。この間隔保持部６ｂは、硬質状に形成され、この実施形態では目地材６の全長にわたって差込部６ａの両側が同じ寸法分だけ突き出されて幅広状に形成されることにより構成されている。又目地材６は、上例と同様、差込部６ａの両側に左右一対のひれ部６ｃが複数対、目地材６の長手方向に延びて形成され、このひれ部６ｃでシールド効果が高くなるよう形成されている。
【００２７】
次にこの本発明における壁パネル１の連結例を説明する。
【００２８】
作業者は、図７に示されるように、先ず片側のフレーム２のダルマ孔３に連結用具４のビス５を差し入れてから連結用具４を引き摺り下ろす。これによりダルマ孔３の切欠き３ｂにビス５の首部５ａがきつく係合し、片側のフレーム２に連結用具４が固定される。次に作業者は、図８に示されるように、壁パネル１の一方のフレーム２を、室内側から連結用具４の箇所に差し入れ、その後、図９に示されるように、目地材６を連結箇所の隙間Ｓに差し込む。本発明の場合、目地材６が差し込まれると、一方のフレーム２が横方向に位置ずれする。そしてこの目地材６が完全に差し込まれると、図５に示されるように、連結用具４の一方の側辺部４Ａとフレーム２の凸段差部２ａが嵌合し、目地材６を介して連結用具４とフレーム２が密着し、左右の壁パネル１が連結される。
【００２９】
次に請求項４記載の本発明の好適な一実施形態を、図１０〜図１２に従って説明する。上例と同一部材、同一箇所には同一の符号を付し、詳しい説明は省略する。
【００３０】
この本発明は、壁パネル１の裏面の側部に角筒形のフレーム２が側部に沿って取り付けられ、このフレーム２の後面のダルマ孔３に連結用具４のビス５が差し入れられてから連結用具４が下方にずらされて隣り合う壁パネル１のフレーム２に連結用具４が跨って被覆状に設けられている。又壁パネル１の連結箇所の隙間Ｓに、目地材６が差し込まれている。ダルマ孔３の構成は、上例と同様である。
【００３１】
隣り合わせに並べられている上記フレーム２の対向する側の外側面部２ｂは、壁パネル１の前方に前端２ｂ１が向けられて自由片状に形成されている。このフレーム２は、この実施形態では金属板が折り曲げられ、フレーム２の対向する側の外側面部２ｂが壁パネル１の前方に折り返されることで形成されている。
【００３２】
又上記の目地材６は二股状に形成され、この目地材６の二股状の挟持部６Ａでフレーム２の接合されている外側面部２ｂが挟み付けられている。この実施形態の場合、目地材６は例えば樹脂材で形成され、二股状の挟持部６Ａはステンレス材で形成されている。
【００３３】
次にこの本発明における壁パネル１の連結例を説明する。
【００３４】
作業者は、先ず壁パネル１を隣り合わせに並べ、ダルマ孔３に連結用具４のビス５を差し入れて引き摺り下ろす。これによりダルマ孔３の切欠き３ｂにビス５の首部５ａが係合し、左右のフレーム２が引き寄せられ、外側面部２ｂが接合され、連結用具４でフレーム２が連結される。次に作業者は、連結箇所の隙間Ｓに、図１０に示されるように、目地材６を差し込む。目地材６が差し込まれると、挟持部６Ａが左右のフレーム２の接合された外側面部２ｂを挟み付ける。この結果フレーム２の裏側は連結用具４で固定され、表側は目地材６で固定され、壁パネル１の開きが防止される。
【００３５】
【発明の効果】
以上説明したように本発明は、壁パネルの連結箇所の隙間に目地材を差し込むとフレームが横方向にずれ、この目地材を介して連結用具をフレームに密着させるものである。
従ってこれによると、目地材を差し込んでも左右の壁パネルが後方に押し開かれることを防止でき、連結箇所のパネル面に撓みが発生しないから、パネル面の平面性を害することがない。
又請求項２記載の本発明の場合は、連結用具を片側の壁パネルのフレームに固定した後、連結する側の壁パネルのフレームを室内側から連結用具の箇所に差し入れて作業できる。従ってこれによると、上記の効果を奏するだけではなく、連結作業の容易化をも図ることができる。
又請求項４記載の本発明は、目地材によってフレームの外側面部の前端を挟持するものである。従ってこの場合は、壁パネルの前側を目地材で固定でき、連結用具と協働して一層堅固に壁パネルを連結できるから、これによると連結箇所のパネル面の平面性を確実に維持できる。
【図面の簡単な説明】
【図１】本発明構造の好適な一実施形態を示す一部を切欠した要部平面図である。
【図２】同上構造の前側から見た連結時の要部斜視図である。
【図３】同上構造の後側から見た連結時の要部斜視図である。
【図４】他の構成に係る本発明の前側から見た連結時の要部斜視図である。
【図５】図４の本発明構造の要部平面図である。
【図６】図４の本発明構造の後側から見た連結時の要部斜視図である。
【図７】図４の本発明構造の連結例を説明するための要部平面図である。
【図８】図４の本発明構造の連結例を説明するための要部平面図である。
【図９】図４の本発明構造の連結例を説明するための要部平面図である。
【図１０】他の構成に係る本発明の前側から見た連結時の要部斜視図である。
【図１１】図１０の本発明構造の要部平面図である。
【図１２】図１０の本発明構造の他の実施形態を示す要部平面図である。
【符号の説明】
１　　壁パネル
２　　フレーム
３　　ダルマ孔
３ａ　大径の孔
３ｂ　切欠き
４　　連結用具
５　　ビス
５ａ　首部
６　　目地材
Ｓ　　連結箇所の隙間
【図１】
2004116209.tif 000003
【図２】
2004116209.tif 000004
【図３】
2004116209.tif 000005
【図４】
2004116209.tif 000006
【図５】
2004116209.tif 000007
【図６】
2004116209.tif 000008
【図７】
2004116209.tif 000009
【図８】
2004116209.tif 000010
【図９】
2004116209.tif 000011
【図１０】
2004116209.tif 000012
【図１１】
2004116209.tif 000013
【図１２】
2004116209.tif 000014